(57)【要約】【課題】  着衣の上から腰部腹部周りの保温に、着脱が簡単に出来、保温を高めるための保温用腰部腹部カバーを課題とした。【解決手段】  腰カバーと二つ折り前カバーにより構成された腰部、腹部周りの保温を高めるカバーで、着衣の上に腰周りから脇腹にかけて延ばした腰カバーと、脇腹で重なるようにした腹部を覆う前カバーの、上下端縁部を係止する係止部材を備え、係止部材を外すと前カバー丈は、前カバー丈の２倍の長さになる。脇腹で重なるようにした腰カバーの一方の上方の端部のみを接合し、腰カバーの他方の上方の一部と、重なる前カバーの上方端部に、着脱部材を有する調節機構を備え、腰カバーの上方端部の下がり防止機構として、引っ掛け部を有する係止具と、前カバー裏面の一部に引っ掛け部の受け具とを備えた保温用腰部腹部カバーである。【選択図】  図７
2013216985.tif 000002
【特許請求の範囲】
【請求項１】
着衣の上に、腰周りから脇腹にかけて延設した腰カバーと、脇腹で重なるようにした、腹部を覆う二つ折の前カバーとにより構成され、前記前カバーは、前カバーの上端縁部と下端縁部を係止する係止部材を備え、前記係止部材を外すと、前カバー丈は、二つ折り前カバー丈の２倍の長さを有し、腹部を覆う二つ折の前カバーと、脇腹で重なるようにした腰カバーの一方の上方の端部のみを接合し、腰カバーの他方の上方の一部と、重なる前カバーの上方端部に、着脱部材を有する調節機構を備えた保温用腰部腹部カバー。
【請求項２】
請求項１記載の着脱部材を有する調節機構を備えた腰カバーの上方端部に、前記上方端部の下がり防止機構として、引っ掛け部を有する係止具と、前記引っ掛け部の受け具を前カバー裏面に配置し、腰部のふくらみを出すための胴回りにいせ込み・ギャザー・ダーツ等を備えた保温用腰部腹部カバー。
【発明の詳細な説明】
【技術分野】
【０００１】
本発明は、着衣の上から腰部、腹部周りの保温を高め、着脱が簡単な保温用腰部腹部カバーに関するものである。
【背景技術】
【０００２】
特開２００１−１７８７６０は、保湿式腰痛帯であって、腰痛治療に必要な血流量を改善する腰痛帯であって、吸湿発熱機能を有する繊維を含有する加工品を腰背部に用いた保湿式腰痛帯である。
・  本願は、着衣の上から腰周りや腹部の保温を高めるために、着脱が簡単に出来、保温を高める保温用腰部腹部カバーであり構造も目的も異なるものである。
【０００３】
実用新案登録第３０９３７３９は、作業用エプロンであって、エプロン本体の中央部を長く、両脇部を短く形成し、使用時はズボン等の衣服を汚れから防ぐもので、不使用事はエプロン本体の裏面の上端と下端に装着したベルクロファスナーにより中央部を折り返して接着する事を特徴とする作業用エプロンで、中央部の長いエプロンを二つ折りにするものである。
・  本願との違いは、腰カバーと、腹部を覆う二つ折の前カバーを別々に作製し、脇腹で重ねて構成したものであり、脇腹で重ねることにより、カバーの裾が動き、歩行が楽である。腰掛ける時も重なった先端部が開くので、裾周りが広がり、座る、立ち上がる、が楽にできる。しかも重なっているので、合い切れが無く保温される。
・  前記前カバーは、前カバーの上端縁部と下端縁部を係止する係止部材を備え、係止部材を外すと、前カバー丈は、二つ折り前カバー丈の２倍の長さになり、保温の面積が広くなる。
・  腹部を覆う二つ折の前カバーと, 腰カバーの上方の一部と、重なる前カバーの上方端部に、着脱部材を有する調節機構を備えているので着脱が簡単である。
・  腰カバーの上方端部に、上方端部の下がり防止機構として、引っ掛け部を有する係止具と、引っ掛け部の受け具を前カバー裏面に配置し係止する。
・  腰部のふくらみを出すための胴回りにいせ込み・ギャザー・ダーツ等を備えた保温用腰部腹部カバーであるので、腰カバーの上方端部も下がらず、胴回りに添いよりがよい。
【０００４】
特開２０１１−２２６０１７は、椅子に座った状態で使用する下肢から腹部の保温カバーで、暖まった空気が逃げるのを防止でき、椅子に座った状態から立ち上がったり、体を持ち上げることなく、簡単な作業で膝上から腹部にかけての部分の保温をも行う事が可能な保温カバーであり、要は椅子に着座した使用者が袋体に両足を差し込んで、上半身部を覆って保温するものであり、
・  本願は、着衣の上に、腰周りから脇腹にかけて延設した腰カバーと、脇腹で重なるようにした、腹部を覆う二つ折の前カバーとにより構成され、前記前カバーは、前カバーの上端縁部と下端縁部を係止する係止部材を備え、前記係止部材を外すと、前カバー丈は、二つ折り前カバー丈の２倍の長さを有する。
・  腹部を覆う二つ折の前カバーと、脇腹で重なるようにした腰カバーの一方の上方の端部のみを接合し、腰カバーの他方の上方の一部と、重なる前カバーの上方端部に、着脱部材を有する調節機構を備えている。
・  着脱部材を有する調節機構を備えた腰カバーの上方端部に、前記上方端部の下がり防止機構として、引っ掛け部を有する係止具と、前記引っ掛け部の受け具を前カバー裏面に配置し、腰部のふくらみを出すための胴回りにいせ込み・ギャザー・ダーツ等を備えた保温用腰部腹部カバーである。
・  自由に動けて着脱も簡単で、お洒落な腰部腹部の保温カバーであり構造も効果も全く異なるものである。
【先行技術文献】
【特許文献】
【０００５】
【特許文献１】特開２００１−１７８７６０号公報
【特許文献２】実用新案登録第３０９３７３９号公報
【特許文献３】特開２０１１−２２６０１７号公報
【発明の概要】
【発明が解決しようとする課題】
【０００６】
本発明は、着衣の上から腰周りや腹部の保温を高めるために、着脱が簡単に出来、保温
を高めるお洒落な保温用腰部腹部カバーを課題とした。
【課題を解決するための手段】
【０００７】
着衣の上に、腰かバーと二つ折りの前カバーにより構成された腰部、腹部周りの保温を高めるカバーで、軽くて保温性の高い布及び不織布又は、裏打ち、リバーシブル等を用い、着衣の上に腰周りから脇腹にかけて延設した腰カバーと、脇腹で重なるようにした腹部を覆う二つ折りの前カバーを有する。
【０００８】
前記二つ折りの前カバーには、前カバーの上端縁部と、下端縁部とを係止する係止部材を備え、係止部材を外すと、前カバーは二つ折の前カバー丈の２倍の長さを有し、前下半身を広く保温することができる。
【０００９】
実施例の一つとして、前カバーの一部である上方の先端縁部を折り返し、前カバーに蓋部を備え、カバー蓋と前カバーの下端縁部とを係止部材（ボタン、マジックテープ（登録商標）、スナップ等）で係止し、係止部材を外すと、前カバー丈は、二つ折の前カバーの丈の２倍の長さになる。
【００１０】
腰カバーの一方と前カバーの重なる部分は、上方の重なる部分のみ接合され、下部は放たれており、スリットになっている。
【００１１】
他方の腰カバーの上方の一部と、前カバーの上方の脇端部と重なる部分に、着脱部材を有する調節機構（リュックカン、紐、カギホック、スライド式調節具等）を備え、着脱自在に体型の状態に合せ、胴周りに添わす事ができる。
【００１２】
腰カバーの裾線は、水平又は先端部の角に丸みを持たせる。前カバーと腰カバーの重なる部分の脇部にカーブをつけると、歩行時や着席時にカバーの裾が開き易く、纏わりつかわない。デザイン的にも面白い。
【００１３】
着脱部材を有する調節機構を備えた一方の腰カバーの上方の端部の下がりを防止する為に、下がり防止機構を備え、腰カバーの上方の端部の下がり防止機構として、引っ掛け部を有する係止具と、前カバーの裏面の上方の一部に、引っ掛け部の受け具を配置している。受け具は、横巾を長めに設け、又は引っ掛け具が入るくらいの仕切りを１〜２箇所いれた受け具にし、胴回りに合わせて調節する。
【００１４】
但し下がり防止機構は、これに限定されるものではなく、例えばマジックテープ（登録商標）や、ボタンとボタン受け部、スナップボタン等で、下がりを防止するものであれば良い。
【００１５】
胴回りに、腰廻りの丸みを出すためのふくらみ（いせ込み・ギャザー・ダーツ等）を付け、ベルト又はゴム入りベルトで留めつける。
【００１６】
保温力の高い用布をさらに保温を高めるために、腰周りの裏面及び前カバーの折り返し部分までに、さらに保温力のある用布で裏打ちをしてもよい。
【発明の効果】
【００１７】
着衣の上から腰部腹部周りの保温をより高め、着脱部材を有する調節機構を備えているので着脱が簡単で、重ね着の厚さにも添う保温用腰部腹部カバーである。
【００１８】
着衣の上に腰周りから脇腹にかけて延設した腰カバーと、脇腹で重なるようにした腹部を覆う前カバーとは別々に製作し、重なり合う部分の上方の端縁部のみを接合しているので、重なり合う部分の下は放されている。重なり合う部分の下はスリットされ、歩行時又は着席時に裾が纏い付かず、足の動きに合せて開くので楽である。上方は腰カバーと前カバーが重なっているので合切れが無く腹部周りの保温が保たれる。
【００１９】
二つ折りの前カバーは。係止部材を外すと前カバー丈の２倍に伸ばす事ができ、前下半
身を広く保温することができる。
【００２０】
腰カバーの裾線の先端部は、水平又は丸みを持たせるが、腰カバーの裾線の先端部にカーブをつけると、スリット部分が歩行時や着席時に足に纏いつかない。
【００２１】
腰カバー、前カバー丈は自由なので、二つ折りの前カバーの係止部材を外すと足首丈になっても良い。短めの場合、お洒落な腰カバーなので、外出時にそのまま着用しても良く、コートの下に着ても嵩張らないので大丈夫である。
【００２２】
腹部を覆う前カバーは係止部材で、二重カバーに形成しているので、二重カバーは寒い時に手を差し込み保温の為のマフの効果がある。
【００２３】
前カバー蓋部と、前カバーの下端縁部とを係止部材で係止すると、デザイン的にも面白く、二つ折りの前カバーは一時的に物入れの役目もする。
【００２４】
腰カバーの裏面には、保温懐炉を入れるためのポケットを設けてもよく、前カバーは、二重カバーになっているので前後とも保温性に優れている。
【００２５】
胴回りには、ベルト又はゴムベルトを用い、着脱部材を有する調節部材を設けているので、体型の状態に合せて調節できる。調節部材にはリュックカン（登録商標）紐、カギホック、スライド式調節等を用い、着脱が簡単にできる。
【００２６】
腰カバーと前カバーは上方の端部を重ねて接合しているので、一方の重ねた部分の腰カバーと前カバーは接合され、他方の着脱部材を備えた前カバーと腰カバーは、腰カバーの端部の下がり防止のために、腰カバーの上方の端部に引っ掛け具を備え、前カバーの上方裏面には受け具を備えているので、腰カバーの端部の下がりを防止する事ができる。
【００２７】
腰カバー上方の端部に装着した引っ掛け具は、前カバー上方裏面に引っ掛け部の受け具と係合し、胴回りに応じて少し動かせる程度に。横幅を広く設けるか、幅広の受け具に仕切りを設け、体型に応じて、厚着になっても、満腹になっても対応する事ができる。
【００２８】
腰部、腹部周りの保温を高めるカバーは、軽くて保温性の高い布、不織布、リバーシブル又は別の保温性の高い用布で裏打ちするなど、より保温性が高める事ができる。
【図面の簡単な説明】
【００２９】
【図１】保温用腰部腹部カバーの正面図
【図２】前カバーと腰カバーの着脱部材を外して半開きにした斜視図
【図３】前カバーの係止部材を外して前カバーを伸ばした正面斜視図
【図４】蓋付き前カバーの正面図
【図５】蓋付き前カバーと腰カバーの着脱部材を外して半開きにした斜視図
【図６】蓋付き前カバーの係止部材を外して前カバーを伸ばした正面斜視図
【図７】A  長めの腰カバーの使用時の斜視図         B  短めの腰カバーの使用時の斜視図
【発明を実施するための形態】
【００３０】
着衣の上に、腰周りから脇腹にかけて延設した腰カバー１と、脇腹で重なるようにした腹部を覆う二つ折りの前カバー２とを有し、前記二つ折りの前カバー２は、前カバー２の上端縁部３と、下端縁部４とを係止する係止部材５を備え、前記係止部材５を外すと、前カバー２は、二つ折の前カバーの丈の２倍の長さを有する。
【００３１】
腰カバー１の両端の脇部６は前カバー２と重なっており、前カバー２と重なる腰カバー１の一方の脇部６は上方端部で前カバー２と接合され、他方の脇部６は上方端部に着脱部材を有する調節機構を備える。
【００３２】
着脱部材を有する調節機構を備えた腰カバー１の脇部６の上方の端部に、腰カバー１の脇部の上方の端部の下がり防止機構として、引っ掛け部を有する係止具７と、前記引っ掛け部の受け具８を前カバー２の裏面に配置する。但し下がり防止機構は、これに限定されるものではなく、例えばマジックテープ（登録商標）や、ボタンとボタン受け部、スナップボタン等、腰カバー１の脇部６の上方の端部の下がりを防止するものであれば良い。
【００３３】
実施例の一例として、前カバー２の一部である上方の先端縁部を折り返し、前カバー２に蓋部を備え、カバー蓋９と前カバー２の下端縁部４とを係止部材５で係止し、係止部材５を外すと、前カバー丈は、二つ折の前カバーの丈の２倍の長さになる。
【００３４】
腰カバー１と前カバー２により構成された腰部、腹部周りを保温するカバーは、保温性の高い布、不織布又は、腰カバーの裏面及び、前カバーは折り返しまで裏打ちを加えるとか、又はリバーシブル等を用い、腰部腹部周りの保温をより高め保護する。
【００３５】
着衣の上に腰周りから脇腹にかけて延設した腰カバー１と、脇腹で重なるようにした腹部を覆う二つ折りの前カバー２より成り立つが、着脱部材を設けていない腰カバー１の脇部６の上方と二つ折りの前カバー２の上方の端部と重なり合った部分は接合され、他方の腰カバー１の脇部６と前カバー２の上方の接合部は、着脱部材により係止される。
【００３６】
前カバー２と腰カバー１の脇部６の重なった下部は放たれていて、スリットになっているので、足の動きに合せ、自由に動き開閉する。しかし上方は重なっているので歩行時や着席時にも合切れする事が無く保温は保たれている。
【００３７】
他方の二つ折りの前カバー２の上方の脇端部と、腰カバー１に続く腰カバー１の脇部６の上方の一部と重なり接合する部分に、着脱部材の差込具１１と着脱部材の受け具１２の調節機構を備え、着脱自在に、体型の状態に合せて胴周りの調節に備える。
【００３８】
前カバーの上方の端部に着脱部材の差込具１１と、腰カバー１の脇部６上方の一部に着脱部材の受け具１２の調節機構を備え、腰カバー１の脇部６の上方の端部の下がり防止機構として、腰カバー１の脇部６の上方の端部に、引っ掛け部を有する係止具７と、前カバー裏面に引っ掛け部の受け具８を備える。
【００３９】
腰カバー１の脇部６の上方の一部に引っ掛け部を有する係止具７と係止する前カバー２の上方裏面に、引っ掛け具の受け具８を設け、受け具の横幅を胴回りに応じて少し動かせる位に長めに設ける。又は引っ掛け具の受け具８に、引っ掛け具に対応する仕切りを１~２箇所に設ける。但し下がり防止機構はマジックテープ（登録商標）。スナップ等これらに限定されるものではない。
【００４０】
腰カバー１の脇部６の裾線の先端部は、水平又は丸みを持たせるが、腰カバー１の脇部６の先端部にカーブをつけると、スリット部分が開きやすく、歩行時や着席時に足に纏いつかない。
【００４１】
腰廻りの丸みを出す為のふくらみ（いせ込み・ギャザー・ダーツ等）を胴回りの裏面にベルト１３又は、ゴム入りベルトで留めつける。
【００４２】
ベルト１３は、腰カバー１及び前カバー２の上縁端部３に配置され、胴回りの補強と着脱部材の差込具を挟む役割を果たしており、胴周りのベルト１３の上縁端部のみを腰カバー１及び前カバー２の上端部に対して固定している。
【符号の説明】
【００４３】
１    腰カバー
２    前カバー
３    上端縁部
４    下端縁部
５    係止部材
６    脇部
７    引っ掛け部を有する係止具
８    引っ掛け部の受け具
９    カバー蓋
１０  前カバーの裾
１１  着脱部材の差込具
１２  着脱部材の受け具
１３  ベルト
【図１】
2013216985.tif 000003
【図２】
2013216985.tif 000004
【図３】
2013216985.tif 000005
【図４】
2013216985.tif 000006
【図５】
2013216985.tif 000007
【図６】
2013216985.tif 000008
【図７】
2013216985.tif 000009